(57)【要約】      （修正有）【課題】従来のシート収納容器は、シートの取り出し口が一つで使用範囲が制限されていたので、縦置きにも、横置きにも積み重ねることができて、省スペース化を図ることができ、置き方の自由度を高くするシート収納容器を提供する。【解決手段】シート収納容器は、重ねられた複数のシートを収納する直方体状のシート収納容器本体２６と、上記シート収納容器本体２６の正面板、又は上面板９、又は上面板９から正面板に渡って形成された正面開閉蓋２と、上記シート収納容器本体２６に設けられた側面開閉蓋とよりなることを特徴とする。上記側面開閉蓋は、例えば、上記シート収納容器本体の上面板９から一方の側面板１５に渡って形成された側面開閉蓋２７とよりなる。また、上記側面開閉蓋は、上記シート収納容器本体の底面板から一方又は他方の側面板に渡って形成された側面開閉蓋とよりなる。【選択図】図１
2020033105.tif 000002
【特許請求の範囲】
【請求項１】
重ねられた複数のシートを収納する直方体状のシート収納容器本体と、
上記シート収納容器本体の正面板、又は上面板、又は上面板から正面板に渡って設けた正面開閉蓋と、
上記シート収納容器本体に設けた側面開閉蓋とよりなることを特徴とするシート収納容器。
【請求項２】
上記側面開閉蓋は、上記シート収納容器本体の一方の側面板に設けたことを特徴とする請求項１に記載のシート収納容器。
【請求項３】
上記側面開閉蓋は、上記シート収納容器本体の上面板の、上記正面開閉蓋に対して一方の側に設けられたことを特徴とする請求項１に記載のシート収納容器。
【請求項４】
上記側面開閉蓋は、上記シート収納容器本体の上面板から一方の側面板に渡って設けたことを特徴とする請求項１に記載のシート収納容器。
【請求項５】
上記側面開閉蓋は、上記シート収納容器本体の底面板から一方又は他方の側面板に渡って設けたことを特徴とする請求項１乃至４のいずれか１に記載のシート収納容器。
【請求項６】
上記側面開閉蓋は、上記シート収納容器本体に一部が連設され、開閉自在に設けられていることを特徴とする請求項１乃至５のいずれか１に記載のシート収納容器。
【請求項７】
上記側面開閉蓋は、上記シート収納容器本体に設けた切り取り線を切り取ることにより開閉自在となるように構成され、
上記側面開閉蓋の先端部には、指入れ開口部を形成するための切り取り線が形成され、
該指入れ開口部を形成するための切り取り線を切断するために必要な力は、上記指入れ開口部を除く上記側面開閉蓋を形成するための切り取り線を切断するための力よりも弱いように、上記指入れ開口部を形成するための切り取り線と、上記指入れ開口部を除く上記側面開閉蓋を形成するための切り取り線とが形成されていることを特徴とする請求項１乃至６のいずれか１に記載のシート収納容器。
【請求項８】
上記シート収納容器本体は、組立装置により組み立てられる一枚のシートよりなり、
該シートは、それぞれ一列に連設された上側正面板と上面板と背面板と底面板と下側正面板と、上記上面板の左右端縁にそれぞれ連設された一方の上側側面板と他方の上側側面板と、上記底面板の左右端縁にそれぞれ連設された一方の下側側面板と他方の下側側面板とよりなり、
上記上側正面板、下側正面板、上側左面板、下側左面板、上側右面板、下側右面板は、上記組立装置により、それぞれ、上記上側正面板の端縁と上記下側正面板の端縁とが重ね合されて接着され、また、上記一方の上側側面板の端縁と上記一方の下側側面板の端縁とが重ね合されて接着され、また、上記他方の上側側面板の端縁と上記他方の下側側面板の端縁とが重ね合されて接着されて組み合わされるように構成され、
上記側面開閉蓋は、上記シート収納容器本体の一方の上側側面板、又は、上面板から該一方の上側側面板に渡って設けた切り取り線を切り取ることにより開閉自在となるように構成されると共に、上記一方の上側側面板の端縁と一方の下側側面板の端縁とが重ね合される部分よりも、上方の位置に設けられることを特徴とする請求項１乃至７のいずれか１に記載のシート収納容器。
【請求項９】
上記シート収納容器本体は、組立装置により組み立てられる一枚のシートよりなり、
該シートは、それぞれ一列に連設された上側正面板と上面板と背面板と底面板と下側正面板と、上記上面板の左右端縁にそれぞれ連設された一方の上側側面板と他方の上側側面板と、上記底面板の左右端縁に連設された一方の下側側面板と他方の下側側面板とよりなり、
上記上側正面板、下側正面板、上側左面板、下側左面板、上側右面板、下側右面板は、上記組立装置により、それぞれ、上記上側正面板の端縁と上記下側正面板の端縁とが重ね合されて接着され、また、上記一方の上側側板の端縁と上記一方の下側側面板の端縁とが重ね合されて接着され、また、上記他方の上側側面板の端縁と上記他方の下側側面板の端縁とが重ね合されて接着されて組み合わされるように構成され、
上記側面開閉蓋は、上記シート収納容器本体の底面板から上記一方又は他方の下側側面板に渡って設けた切り取り線を切り取ることにより開閉自在となるように構成されると共に、上記一方又は他方の下側側面板の端縁と上記一方又は他方の上側側面板の端縁とが重ね合される部分よりも、下方の位置に設けられることを特徴とする請求項１乃至８のいずれか１に記載のシート収納容器。
【請求項１０】
上記側面開閉蓋は、上記シート収納容器本体に設けた切り取り線を切り取ることにより開閉自在となるように構成され、
上記側面開閉蓋が切り取られた後に残る上記側面板の側部の幅、又は、上記上面板の側部の幅、又は、上記底面板の側部の幅は、１０ｍｍ〜１５ｍｍであることを特徴とする請求項１乃至９のいずれか１に記載のシート収納容器。
【請求項１１】
上記側面開閉蓋は、上記シート収納容器本体に設けた切り取り線を切り取ることにより開閉自在となるように構成され、
上記シート収納容器本体の奥行（Ｄ）に対する、上記側面開閉蓋が切り取られた後に残る側面板の側部の幅（Ａ）、又は、上面板の側部の幅（Ａ）、又は、底面板の側部の幅（Ａ）の比率（Ａ）／（Ｄ）は、１．６〜９．６％であることを特徴とする請求項１乃至９のいずれか１に記載のシート収納容器。
【請求項１２】
上記側面開閉蓋の各側部の切り取り線を、短手方向の線に対して、互いに内側に傾斜させたことを特徴とする請求項１乃至１１のいずれか１に記載のシート収納容器。
【発明の詳細な説明】
【技術分野】
【０００１】
本発明はシート収納容器、特に、使い捨てのカウンタークロス（不織布衛生ふきん）等の複数のシートを収納し、そして、該シートを１枚１枚外部に取り出して使用するシート収納容器に関するものである。
【背景技術】
【０００２】
例えば、飲食店でのテーブルの拭き取りや、食品工場における食品容器などの拭き取りや、調理用具の拭き取りや、手指の拭き取りのために、使い捨ての不織布製の衛生ふきんなどのシートがある。
【０００３】
かかるシートは、上下に複数枚重ね合されて、例えば、図８に示すような、紙製の直方体状（立方体状も含む。以下同じ。）のシート収納容器本体１内に収納される。そして、該シート収納容器本体１の正面板８に設けられた切り取り線を切り取ることにより、又は、該シート収納容器本体１の上面板９から上記正面板８に渡って設けられた切り取り線を切り取ることにより、一部が連設された開閉自在な正面開閉蓋２が形成され、そして、該正面開閉蓋２を開口することにより、１枚１枚、シートが外に取り出されるようになる。
【０００４】
なお、上記正面開閉蓋２は、上記シート収納容器本体１に一部を連設せずに、上記シート収納容器本体１から全てを切り取ることにより、開口部を形成するようにしてもよい。
【０００５】
また、上記正面開閉蓋２は、上記シート収納容器本体１の上面板９にのみに設けてもよい。
【０００６】
また、上記シート収納容器本体１は、例えば、図９に示すように、一枚の略矩形状の厚紙シート３を組み立てて直方体状に形成されたものである。
そして、該厚紙シート３は、例えば、それぞれ矩形状の上側正面板８ａと、上面板９と、背面板１０と、底面板１１と、下側正面板８ｂと、上側左面板１４ａと、上側右面板１５ａと、下側左面板１４ｂと、下側右面板１５ｂとよりなる。
また、上記上側正面板８ａと上記上面板９と上記背面板１０と上記底面板１１と上記下側正面板８ｂとは、例えば、それぞれ折り目４、５、６、７を介して一列に、該厚紙シート３の長手方向の側の端縁（立方体状の場合は、どちらか一方の方向の端縁を長手方向の側の端縁とみなす）において、それぞれ連設される。
また、上記上側左面板１４ａと上記上側右面板１５ａとは、例えば、上記上面板９の左右端縁（上記厚紙シート３の短手方向の端縁）に、それぞれ折り目１２、１３を介して連設される。
また、上記下側左面板１４ｂと上記下側右面板１５ｂとは、例えば、上記底面板１１の左右端縁（上記厚紙シート３の短手方向の端縁）に、それぞれ折り目１６、１７を介して連設される。
【０００７】
また、上記上側正面板８ａと、上記背面板１０と、上記下側正面板８ｂとの各左右端縁（上記厚紙シート３の短手方向の端縁）には、それぞれ折り目１８を介して、フラップ１９がそれぞれ連設されている。
【０００８】
また、上記正面開閉蓋２は、例えば、上記厚紙シート３の上記上面板９から上記上側正面板８ａに渡って設けた、略コ字状の正面開閉蓋切り取り線を切り取ることにより、開閉自在に形成される。また、該正面開閉蓋２は、例えば、折り目２０介して、上記シート収納容器本体１に連設される。
また、該折り目線２０は、例えば、上記上面板９の略中央に、該上面板９の長手方向（上記厚紙シート３の短手方向）に直線状に延びて、所望の長さに形成される。
【０００９】
そして、上記正面開閉蓋切り取り線は、左右の側部切り取り線２１、２１と、左右の先端部切り取り線２２、２２と、左右の係止片切り取り線２３、２３とよりなる。
また、上記左右の側部切り取り線２１、２１は、上記折り目２０の両端からそれぞれ直角に折れ曲がって上記上側正面板８ａの略中央部まで延びて形成される。
また、上記左右の先端部切り取り線２２、２２は、上記切り取り線２１、２１の各先端から、それぞれ互いに接近する方向に略直角に折れ曲がって、所望の長さ延びて形成される。
また、左右の係止片切り取り線２３、２３は、上記各先端部切り取り線２２の先端からそれぞれ略直角に折れ曲がって上記上側正面板８ａの下端縁まで延びて形成される。
【００１０】
なお、上記左右の側部切り取り線２１、２１と、上記先端部切り取り線２２、２２とにより、上記正面開閉蓋２の蓋本体が形成される。また、該蓋本体の先端部に形成された、上記係止片切り取り線２３、２３と、該切り取り線２３、２３の先端間の上記上側正面板８ａの下端縁２４とにより、略矩形状の係止片２５が形成される。
【００１１】
そして、組み立てられた上記シート収納容器本体１においては、切り取られて開閉自在となる正面開閉蓋２の先端部分の係止片２５を、上記下側正面板８ｂの内側に挿入することにより、該正面開閉蓋２を閉じることができるようになる。
【００１２】
上記厚紙シート３から、直方体状のシート収納容器本体１を組み立てるためには、組立装置（図示せず）を用いる。
即ち、該組立装置の折り機構部より、上記厚紙シート３の各折り目を折り、上記上側正面板８ａと上記下側正面板８ｂとの端縁を重ね合わせ、また、上記上側左面板１４ａと上記下側左面板１４ｂの端縁を重ね合せ、また、上記上側右面板１５ａと上記下側道面板１５ｂの端縁を重ね合せる。そして、上記組立装置の接着装置部により、上記各重ね合された部分を接着して、直方体状のシート収納容器本体１を形成する。
なお、上記各フラップ１９は、それぞれ上記上側左面板１４ａ、上記下側左面板１４ｂ、上記上側右面板１５ａ、上記下側右面板１５ｂの内側に配置されるように、折られる。
【００１３】
なお、上記組立装置の折り機構部は、上記上側正面板８ａを、上記下側正面板８ｂの表側に重ねて、折るように構成される。
また、上記組立装置の接着装置部は、上記係止片２５部分が、上記下側正面板８ｂに接着されないように、該重ねられた上記上側正面板８ａと上記下側正面板８ｂとを接着するように構成される。
これにより、ケースが組み立てられた後に、上記係止片２５を手前に引けば、上記シート収納容器本体１から該係止片２５を切り離せるようになる。
【００１４】
なお、上記上側左面板１４ａと上記下側左面板１４ｂとの重ね合せは、どちらが表側になっても問題がない。そのため、上記組立装置には、上記上側左面板１４ａが、上記下側左面板１４ｂの表側に重ねられるように折り、接着するタイプの組立装置と、上記下側左面板１４ｂが、上記上側左面板１４ａの表側に重ねられるように折り、接着するタイプの装置の組立装置がある。
同様に、上記上側右面板１５ａと上記下側右面板１５ｂの重ね合せも、どちらが表側になっても問題がない。そのため、上記組立装置には、上記上側右面板１５ａが、上記下側右面板１５ｂの表側に重ねられるように折り、接着するタイプの組立装置と、上記下側右面板１５ｂが、上記上側右面板１５ａの表側に重ねられるように折り、接着するタイプの組立装置がある。
【００１５】
そして、組み立てられた上記シート収納容器本体１を購入した者が、上記開閉蓋部切り取り線を切り取ることにより、図１０に示すように、上記正面開閉蓋２を開閉自在にして、内部からシートが取り出せるようになる。
【００１６】
また、例えば、上記シート収納容器本体１を複数上下に積み重ねて、使用目的ごとに、各シート収納容器を使い分けるようにしてもよい。
【００１７】
このようなシート収納容器としては、例えば、特許文献１がある。
【先行技術文献】
【特許文献】
【００１８】
【特許文献１】特開２０１０−２２８７８９号公報
【発明の概要】
【発明が解決しようとする課題】
【００１９】
しかしながら、上記シート収納容器を置くスペースの関係上、該シート収納容器の正面側（正面板の面側）を手前にして、置けない場合がある。かかる場合、側面側（上側左面板１４ａや上側右面板１５ａの面側）が手前に向くようにしか置けない場合、該シート収納容器からシートを取り出すには、そのスペースからシート収納容器ごと取り出す必要があった。
【００２０】
また、このようなスペースの場合、シート収納容器を複数上下に積み重ねて使用することは難しかった。
【００２１】
本発明は、上記の問題を解決することを目的とする。
【課題を解決するための手段】
【００２２】
本発明のシート収納容器は、重ねられた複数のシートを収納する直方体状のシート収納容器本体と、上記シート収納容器本体の正面板、又は上面板、又は上面板から正面板に渡って設けた正面開閉蓋と、上記シート収納容器本体に設けた側面開閉蓋とよりなることを特徴とする。
また、上記側面開閉蓋は、上記シート収納容器本体の一方の側面板に設けたことを特徴とする。
また、上記側面開閉蓋は、上記シート収納容器本体の上面板の、上記正面開閉蓋に対して一方の側に設けられたことを特徴とする。
また、上記側面開閉蓋は、上記シート収納容器本体の上面板から一方の側面板に渡って設けたことを特徴とする。
また、上記側面開閉蓋は、上記シート収納容器本体の底面板から一方又は他方の側面板に渡って設けたことを特徴とする。
また、上記側面開閉蓋は、上記シート収納容器本体に一部が連設され、開閉自在に設けられていることを特徴とする。
【００２３】
また、上記側面開閉蓋は、上記シート収納容器本体に設けた切り取り線を切り取ることにより開閉自在となるように構成され、上記側面開閉蓋の先端部には、指入れ開口部を形成するための切り取り線が形成され、該指入れ開口部を形成するための切り取り線を切断するために必要な力は、上記指入れ開口部を除く上記側面開閉蓋を形成するための切り取り線を切断するための力よりも弱いように、上記指入れ開口部を形成するための切り取り線と、上記指入れ開口部を除く上記側面開閉蓋を形成するための切り取り線とが形成されていることを特徴とする。
【００２４】
また、上記シート収納容器本体は、組立装置により組み立てられる一枚のシートよりなり、該シートは、それぞれ一列に連設された上側正面板と上面板と背面板と底面板と下側正面板と、上記上面板の左右端縁にそれぞれ連設された一方の上側側面板と他方の上側側面板と、上記底面板の左右端縁にそれぞれ連設された一方の下側側面板と他方の下側側面板とよりなり、上記上側正面板、下側正面板、上側左面板、下側左面板、上側右面板、下側右面板は、上記組立装置により、それぞれ、上記上側正面板の端縁と上記下側正面板の端縁とが重ね合されて接着され、また、上記一方の上側側面板の端縁と上記一方の下側側面板の端縁とが重ね合されて接着され、また、上記他方の上側側面板の端縁と上記他方の下側側面板の端縁とが重ね合されて接着されて組み合わされるように構成され、上記側面開閉蓋は、上記シート収納容器本体の一方の上側側面板、又は、上面板から該一方の上側側面板に渡って設けた切り取り線を切り取ることにより開閉自在となるように構成されると共に、上記一方の上側側面板の端縁と一方の下側側面板の端縁とが重ね合される部分よりも、上方の位置に設けられることを特徴とする。
また、上記シート収納容器本体は、組立装置により組み立てられる一枚のシートよりなり、該シートは、それぞれ一列に連設された上側正面板と上面板と背面板と底面板と下側正面板と、上記上面板の左右端縁にそれぞれ連設された一方の上側側面板と他方の上側側面板と、上記底面板の左右端縁に連設された一方の下側側面板と他方の下側側面板とよりなり、上記上側正面板、下側正面板、上側左面板、下側左面板、上側右面板、下側右面板は、上記組立装置により、それぞれ、上記上側正面板の端縁と上記下側正面板の端縁とが重ね合されて接着され、また、上記一方の上側側板の端縁と上記一方の下側側面板の端縁とが重ね合されて接着され、また、上記他方の上側側面板の端縁と上記他方の下側側面板の端縁とが重ね合されて接着されて組み合わされるように構成され、上記側面開閉蓋は、上記シート収納容器本体の底面板から上記一方又は他方の下側側面板に渡って設けた切り取り線を切り取ることにより開閉自在となるように構成されると共に、上記一方又は他方の下側側面板の端縁と上記一方又は他方の上側側面板の端縁とが重ね合される部分よりも、下方の位置に設けられることを特徴とする。
【００２５】
また、上記側面開閉蓋は、上記シート収納容器本体に設けた切り取り線を切り取ることにより開閉自在となるように構成され、上記側面開閉蓋が切り取られた後に残る上記側面板の側部の幅、又は、上記上面板の側部の幅、又は、上記底面板の側部の幅は、１０ｍｍ〜１５ｍｍであることを特徴とする。
【００２６】
また、シート収納容器の強度及びシートの取り出しやすさの観点から、上記側部の幅（Ａ）／奥行き（Ｄ）（％）は、１．６〜９．６％が好ましく、また、２．０〜８．０％がより好ましく、また、３．２〜４．８％が特に好ましい。
また、上記側面開閉蓋の各側部の切り取り線を、短手方向の線に対して、互いに内側に傾斜させたことを特徴とする。
【発明の効果】
【００２７】
本発明のシート収納容器によれば、縦置きにも、横置きに積み重ねることができるので、省スペース化を図ることができる。また、シート収納容器の置き方の自由度が高くなる。
【図面の簡単な説明】
【００２８】
【図１】本発明のシート収納容器の正面からの斜視図である。
【図２】本発明のシート収納容器の展開図である。
【図３】本発明の他のシート収納容器の一部を拡大した展開図である。
【図４】本発明の更に他のシート収納容器の展開図である。
【図５】本発明のシート収納容器の側面開閉蓋を開いた状態を示す斜視図である。
【図６】本発明のシート収納容器の他の実施例の背面からの斜視図である。
【図７】本発明のシート収納容器の他の実施例の展開図である。
【図８】従来のシート収納容器の斜視図である。
【図９】従来のシート収納容器の展開図である。
【図１０】従来のシート収納容器の使用状態を示す斜視図である。
【発明を実施するための形態】
【００２９】
以下、図面によって本発明の実施例を説明する。おな、従来と同じ部分には同じ符号を付けると共に、説明を省略する。
【実施例１】
【００３０】
本発明のシート収納容器は、図１に示すように、従来の正面開閉蓋２を有する直方体状のシート収納容器本体２６に、更に、開閉自在な側面開閉蓋２７を設ける。
該側面開閉蓋２７は、例えば、該シート収納容器本体２６の一方の側面板である右面板１５（又は／及び左面板１４）に設けられた切り取り線を切り取ることにより形成され、例えば、上記シート収納容器本体１に一部が連設される。
又は、該側面開閉蓋２７は、例えば、上記シート収納容器本体２６の上面板９から上記一方の側面板である右面板１５（又は／及び左面板１４）に渡って設けられた切り取り線を切り取ることにより形成され、例えば、上記シート収納容器本体２６に一部が連設される。
【００３１】
なお、該側面開閉蓋２７は、上記シート収納容器本体２６に一部を連設せずに、上記シート収納容器本体２６から全てを切り取ることにより、形成するようにしてもよい。
【００３２】
また、上記側面開閉蓋２７は、上記シート収納容器本体２６の上面板９の、上記正面開閉蓋２に対して右側部分（又は／及び左側部分）のみに形成してもよい。
【００３３】
また、上記側面開閉蓋２７の代わりに、又は、上記側面開閉蓋２７に加えて、図６に示すように、上記シート収納容器本体２６の底面板１１から上記他方の側面板である左面板１４（又は／及び右面板１５）に渡って設けられた切り取り線を切り取ることにより形成した開閉自在な側面開閉蓋４６を設けてもよい。
なお、該側面開閉蓋４６は、例えば、上記シート収納容器本体１に一部を連設させる。
【００３４】
なお、上記直方体状のシート収納容器本体２６の幅（Ｗ）は、例えば、１５０ｍｍ〜１０００ｍｍであってもよく、また、取扱い性から２００ｍｍ〜５００ｍｍが好ましく、また、２５０ｍｍ〜３５０ｍｍがより好ましい。
【００３５】
また、奥行き（Ｄ）は、例えば、５０ｍｍ〜１０００ｍｍであってもよく、また、取扱い性から１００ｍｍ〜３００ｍｍが好ましく、また、１５０ｍｍ〜２５０ｍｍがより好ましい。
【００３６】
また、高さ（Ｈ）は、例えば、１０ｍｍ〜１０００ｍｍであってもよく、また、取扱い性から２０ｍｍ〜５００ｍｍが好ましく、また、３０ｍｍ〜２５０ｍｍがより好ましい。
【００３７】
そして、例えば、シート収納容器本体２６の大きさとして、それぞれ幅（Ｗ）×奥行（Ｄ）×高さ（Ｈ）が、３１３ｍｍ×１８９ｍｍ×１４９ｍｍや、３１５ｍｍ×１６９ｍｍ×１４５ｍｍや、３１５ｍｍ×１９０ｍｍ×３０ｍｍや、３１５ｍｍ×１９０ｍｍ×５１ｍｍなどがある。
【００３８】
図２は、本発明の上記シート収納容器本体２６を組み立てる前の一枚の略矩形状の厚紙シート２８の一例を示す。該厚紙シート２８は、上記従来の厚紙シート３に、側面開閉蓋２７を設けたものである。該側面開閉蓋２７は、例えば、上記厚紙シート２８の上記上面板９から上側右側板１５ａに渡って設けた、略コ字状の側面開閉蓋部切り取り線を切り取ることにより、開閉自在となる。
また、上記側面開閉蓋２７は、例えば、折り目線２９を介して、上記シート収納容器本体２６に連設される。
そして、該折り目線２９は、例えば、上記上面板９の右端縁の折り目１３と上記正面開閉蓋２の右側の上記側部切り取り線２１との間の略中央に、上記シート収納容器本体１の短手方向に直線状に延びて、所望の長さに形成される。
【００３９】
なお、上記正面開閉蓋２を形成するための切り取り線と、上記側面開閉蓋２７を形成するための切り取り線とは、共通しないことが好ましいが、一部が共通する切り取り線であってもよい。
【００４０】
そして、該側面開閉蓋部切り取り線は、左右の側部切り取り線３０、３０と、左右の先端部切り取り線３１、３１と、指入れ開口部形成用切り取り線３２とによりなる。
上記左右の側部切り取り線３０、３０は、上記折り目２９の両端からそれぞれ直角に折れ曲がって、上記上側右面板１５ａの略中央部まで延びて形成される。
また、上記左右の先端部切り取り線３１、３１は、上記側部切り取り線３０、３０の各先端から、それぞれ互いに接近する方向に略直角に折れ曲がって、所望の長さ延びて形成される。
また、指入れ開口部形成用切り取り線３２は、該各先端部切り取り線３１、３１の各端部を連結する上方（内側）に凹む凹状に形成される。
【００４１】
そして、上記左右の側部切り取り線３０、３０と、上記先端部切り取り線３１、３１と、上記指入れ開口部形成用切り取り線３２とで囲まれた部分により、上記側面開閉蓋２７の蓋本体２７ａが形成される。また、該蓋本体２７ａの先端部に形成された、上記指入れ開口部形成用切り取り線３２で切り取られた部分により、略指が挿入できる程度の大きさの上記側面開閉蓋２７の指入れ開口部３３が形成される。
【００４２】
なお、上記切り取り線３２が切り取られた後は、上記指入れ開口部形成用切り取り線３２で囲まれた部分は、上記上側右面板１５ａに連設された突出片３４となる。なお、３５は、上記突出片３４の折り目である。
【００４３】
なお、上記側面開閉蓋２７の先端部、即ち、先端部切り取り線３１及び上記指入れ開口部形成用切り取り線３２は、上記上側右面板１５ａの端縁３６から所望の距離、離間して、内側に形成されている。即ち、厚紙シート２８を組み立てた時に、上記上側右面板１５ａと、上記下側右面板１５ｂとが重ね合される部分よりも、上記側面開閉蓋２７が上方の位置に設けられる。
【００４４】
かかる構成とすることにより、シート収容容器本体を組み立てる組立装置として、上記下側右面板１５ｂが、上記上側右面板１５ａの表側に重ね合わせて接着するタイプの組立装置を用いた場合であっても、上記側面開閉蓋２７は、上記下側右面板１５ｂと上記上側右面板１５ａとが重ね合される部分に位置しないので、側面開閉蓋を形成することができるようになる。
また、上記下側右面板１５ｂが、上記上側右面板１５ａの裏側に重ね合わせて接着するタイプの組立装置を用いた場合であっても、上記側面開閉蓋２７は、上記下側右面板１５ｂと上記上側右面板１５ａとが重ね合される部分に位置しないので、側面開閉蓋を形成することができるようになる。
【００４５】
従って、側面板の折り畳み方式において、従来において使用していたいずれのタイプの組立装置を利用しても、本願発明の厚紙シートを組み立てることができるようになる。従って、本発明のシート収納容器を製造するために、従来使用していた組立装置を用いることができ、経済性、利便性に優れるようになる。
【００４６】
なお、上記指入れ開口部形成用切り取り線３２の凹状は、指が挿入できる大きさ、形状であれば良い。そして、上記指入れ開口部形成用切り取り線３２の形状は、例えば、円弧状、又は、矩形状であってもよい。
【００４７】
また、上記指入れ開口部形成用切り取り線３２は、凸状としてもよい。この場合には、上記突出片３４は、上記側面開閉蓋２７に、折り目を介して、連設される。
【００４８】
また、上記側面開閉蓋２７を設ける代わりに、又は、上記側面開閉蓋２７に加えて、上記上面板９から上記上側左面板１４ａに渡って他の側面開閉蓋（図示せず）を設けてもよい。
【００４９】
また、上記側面開閉蓋２７や、上記他の側面開閉蓋の代わりに、又は、加えて、図６及び図７に示すように、上記底面板１１から上記下側左面板１４ｂに渡って更に他の側面開閉蓋４６を設けても良い。
同様に、上記更に他の側面開閉蓋４６の代わりに、又は上記更に他の側面開閉蓋４６に加えて、上記底面板１１から上記下側右面板１５ｂに渡って更に他の側面開閉蓋（図示せず）を設けても良い。
なお、上記側面開蓋４６も、上記側面開閉蓋２７と同様に形成される。
例えば、図７は、上記正面開閉蓋２と上記側面開閉蓋４６とよりなる、シート収納容器本体２６を組み立てる前の一枚の略矩形状の厚紙シート４７を示す。
そして、該側面開閉蓋４６は、例えば、上記厚紙シート４７の上記底面板１１から下側左面板１４ｂに渡って設けた、略コ字状の側面開閉蓋切り取り線を切り取りことにより形成される。
なお、側面開閉蓋２７と同じ部分には同じ符号を付けると共に、説明を省略する。
なお、折り目線２９は、例えば、上記シート収納容器本体１の底面板１１に、上記シート収納容器本体１の短手方向に直線状に延びて、所望の長さに形成される。
また、上記側面開閉蓋４６の先端部、即ち、先端部切り取り線３１及び上記指入れ開口部形成用切り取り線３２は、上記下側左面板１４ｂの端縁３６から所望の距離、離間して、内側に形成されている。即ち、上記厚紙シート４７を組み立てた時に、上記下側左面板１４ｂと、上記上側左面板１４ａとが重ね合される部分よりも、上記側面開閉蓋４７が下方の位置に設けられる。
【００５０】
また、上記側面開閉蓋２７、４６においては、上記指入れ開口部３３を形成するための上記指入れ開口部形成用切り取り線３２は、該指入れ開口部形成用切り取り線３２を除く上記側面開閉蓋２７、４６を形成するための切り取り線３０、３１に比べて、切り取りやすく形成されている。
【００５１】
即ち、上記指入れ開口部３３を形成するための上記切り取り線を切断するために必要な力は、該指入れ開口部３３を除く上記側面開閉蓋２７、４６を形成するための切り取り線を切断するための力よりも弱いように、上記指入れ開口部３３を形成するための切り取り線と、該指入れ開口部３３を除く上記側面開閉蓋２７、４６を形成するための切り取り線とが形成される。例えば、互いに隣接する切断線と切断線との間の接続部の距離は、指入れ開口部３３を形成するための切り取り線の接続部が、側部切り取り線３０、先端部切り取り線３１を切り取る為の切り取り線の接続部よりも、短く形成される。
【００５２】
これにより、まず先に、突出片３４のみを切り取ることができ、これにより、指を入れる指入れ開口部が開口する。そして、その開口部分に指を入れて、他の切り取り線３０、３１を切り取るようにすれば、蓋全体をうまく切り取ることができるようになる。
【００５３】
また、図３に示すように、上記側面開閉蓋２７の各側部切り取り線３０、３０のうち、上記上側右面板１５ａ部分の上記側部切り取り線３０ａ、３０ａを、短手方向の線Ｌに対して若干、例えば、それぞれ角度２度〜２．８度、程度、互いに内側に傾斜させるようにする。
なお、上記側面開閉蓋４６も、上記側面開閉蓋２７と同様であり、各側部切り取り線３０、３０のうち、上記下側左面板１４ｂ部分の上記側部切り取り線３０ａ、３０ａを、短手方向の線に対して若干、例えば、それぞれ角度２度〜２．８度、程度、互いに内側に傾斜させるようにする。
【００５４】
なお、上記角度は、例えば、１〜１３度であってもよく、また、取扱い性から２〜１２度が好ましく、また、４〜６度がより好ましい。
【００５５】
これにより、上記側部切り取り線３０ａ、３０ａが傾斜していない場合に比べて、開口部からシートを取り出し易くなると共に、側面開閉蓋２７、４６の蓋を閉じやすくなる。
【００５６】
同様に、上記正面開閉蓋２の各側部切り取り線２１、２１のうち、上記上側正面板８ａ部分の側部切り取り線２１ａ、２１ａも、短手方向の線Ｍに対して若干、例えば、角度２度〜２．８度、程度、互いに内側に傾斜させてもよい。
【００５７】
なお、上記角度は、例えば、１〜１３度であってもよく、また、取扱い性から２〜１２度が好ましく、また、４〜６度がより好ましい。
【００５８】
なお、３７は、上記厚紙シート２８においては、上記上側正面板８ａの右側のフラップ１９ａに設けた切り取り線を示す。該切り取り線３７は、組み立てた時に、上記側面開閉蓋２７の切り取り線に一致する形状に形成される。なお、上記厚紙シート４７の場合は、上記切り取り線３７は、上記下側正面板８ｂの左側のフラップ１９に形成される。
また、３８は、上記厚紙シート２８の場合、上記背面板１０の右側のフラップ１９ｂに設けた切り取り線を示す。該切り取り線３８は、組み立てた時に、上記側面開閉蓋２７の切り取り線に一致する形状に形成される。なお、上記厚紙シート４７の場合は、上記切り取り線３８は、上記背面板１０の左側のフラップ１９に形成される。
【００５９】
そして、上記切り取り線３７、３８は、例えば、組み立てられたシート収納容器本体２６から、側面開閉蓋部切り取り線を切り取った後に、切り取られる。
【００６０】
なお、図４に示すように、組み立てた時に、互いに重なり合う上記フラップ１９ａと上記側面開閉蓋２７の所望の部分に、接着部３９ａ、３９ｂを設ける。また、互いに重なり合う上フラップ１９ｂと上記側面開閉蓋２７の所望の部分に、接着部４０ａ、４０ｂを設ける。そして、組み立てた時に、上記接着部３９ａ、３９ｂを接着し、また、上記接着部４０ａ、４０ｂを接着するようにしてもよい。
【００６１】
この場合には、組み立てられたシート収納容器から上記側面開閉蓋２７を切り取ることにより、接着された上記フラップ１９ａ、１９ｂの切り取り線３７、３８も切り取られる。そして、図５に示すように、シートを取り出すための開口部４１が形成されるようになる。
【００６２】
なお、上記フラップ１９ａ、１９ｂから切り取られる部分４２、４３は、予め、上記厚紙シート２８から切り取られていても良い。
なお、上記側面開閉蓋４６も同様としてもよい。
【００６３】
また、図５に示すように、上記側面開閉蓋２７が切り取られた後に残る上記上面板及び／又は上記上側側面板（例えば、上側右面板）の側部４４、即ち、上記側面開閉蓋２７の側部切り取り線３０、３０と上記折り目４、５（又は上記上側側面板１５ａの側縁４５）との間の側部４４の幅Ａは、シート収納容器の強度及びシートの取り出しやすさの観点から、それぞれ１ｍｍ〜３３ｍｍであってもよく、また、５ｍｍ〜３０ｍｍが好ましく、また、１０ｍｍ〜１５ｍｍであることがより好ましく、特に１３ｍｍが好ましい。
【００６４】
また、上記シート収納容器の奥行（Ｄ）に対する上記側部の幅（Ａ）の比率、即ち、上記側部の幅（Ａ）／奥行き（Ｄ）（％）に関して、側部の幅（Ａ）を変えて、シート収納容器の強度とシートの取りやすさを実験した。
その場合、奥行き（Ｄ）が１８９ｍｍのシート収納容器においては、上記側部の幅（Ａ）／奥行き（Ｄ）（％）が、１．６〜９．６％の範囲であれば、強度とシートの取りやすさが良くなり、また、２．０〜８．０％の範囲であれば、強度とシートの取りやすさがより良くなり、更に、３．２〜４．８％の範囲であれば、特に、強度とシートの取りやすさが良くなる結果となった。
【００６５】
また、奥行き（Ｄ）が１６９ｍｍのシート収納容器においては、上記側部の幅（Ａ）／奥行き（Ｄ）（％）が、１．６〜９．５％の範囲であれば、強度とシートの取りやすさが良くなり、また、２．０〜７．９％の範囲であれば、強度とシートの取りやすさがより良くなり、更に、３．２〜４．８％の範囲であれば、特に、強度とシートの取りやすさが良くなる結果となった。
【００６６】
以上の実験結果より、シート収納容器の上記側部の幅（Ａ）／奥行き（Ｄ）（％）は、シート収納容器の強度及びシートの取り出しやすさの観点から、１．６〜９．６％が好ましく、また、２．０〜８．０％がより好ましく、また、３．２〜４．８％が特に好ましい。
【００６７】
上記幅Ａを上記範囲とすることにより、上記側面開閉蓋２７の開口部４１の大きさを十分確保でき、シートが取り出し易くなる。また、シート収納容器の強度を高めることができ、そのため、側面開閉蓋２７を切り取ったシート収納容器を上下方向に複数積み上げても、最下段のシート収納容器が壊れることがない。
なお、上記側面開閉蓋４６が切り取られた後に残る上記底面板及び／又は上記下側側面板（例えば、下側左面板）の側部４４の幅Ａも、同様である。
【００６８】
本発明においては、従来のシート収納容器と同様に組立装置により組み立てる。そして、上記部切り取り線を切り取ることにより、例えば、図５に示すように、上記側面開閉蓋２７を開閉自在とでき、横側からも、内部のシートが取り出せるようになる。
【００６９】
従って、シート収納容器を置くスペースに制限があるような場合でも、シート収納容器の側面側を手前側面開閉蓋にしておいても、シートを取り出せるようなる。
また、シート収納容器を置く自由度が高くなる。
【００７０】
また、上記厚紙シート２８を組み立てる際、例えば、上記上側右面板１５ａと上記下側右側面板１５ｂとは、いずれかが表側になるように重ねられても、側面開閉蓋２７を切り取ることができる。
また、上記厚紙シート４７を組み立てる際も、例えば、上記上側左面板１４ａと上記下側左面板１４ｂとは、いずれかが表側になるように重ねられても、側面開閉蓋４６を切り取ることができる。
【００７１】
従って、上記厚紙シート２８を組み立てる際、下側右面板１５ｂが上側右面板１５ａに対して、表側になるように重ねて折り、接着するタイプの従来のシート収納容器の組立装置も、利用することができる。
或いは、上記厚紙シート２８を下側右面板１５ｂが上側右面板１５ａに対して、裏側になるように重ねて折り、接着するタイプの従来のシート収納容器の組立装置も、利用することができるようになる。
また、厚紙シート４７を組み立てる場合も同様である。
【００７２】
また、シート収納容器を上下に積み重ねても、どちらの方向でも、シートが取り外せるようになる。
【００７３】
また、正面開閉蓋２を上面板９から正面板８に渡って設け、側面開閉蓋４６を、底面板１１から左面板１４（又は右面板１５）に渡って設けたシート収納容器の場合には、上記正面開閉蓋２の切り取り線と、上記側面開閉蓋４６の切り取り線とは、それぞれ異なる面板に形成される。
従って、切り取り線を切り取る前であっても、また、切り取り線を切り取った後であっても、シート収納容器の面板の剛性が高く、該シート収納容器を上下に積み上げた場合にも、シート収納容器が壊れること避けることができる。
また、側面開閉蓋４６の開口部も大きくすることができる。
【符号の説明】
【００７４】
１      シート収納容器本体
２      正面開閉蓋
３      厚紙シート
４      折り目
５      折り目
６      折り目
７      折り目
８      正面板
８ａ    上側正面板
８ｂ    下側正面板
９      上面板
１０    背面板
１１    底面板
１２    折り目
１３    折り目
１４    左面板
１４ａ  上側左面板
１４ｂ  下側左面板
１５    右面板
１５ａ  上側右面板
１５ｂ  下側右面板
１６    折り目
１７    折り目
１８    折り目
１９    フラップ
２０    折り目
２１    側部切り取り線
２２    先端部切り取り線
２３    係止片切り取り線
２４    下端縁
２５    係止片
２６    シート収納容器本体
２７    側面開閉蓋
２７ａ  蓋本体
２８    厚紙シート
２９    折り目
３０    側部切り取り線
３１    先端部切り取り線
３２    指入れ開口部形成用切り取り線
３３    指入れ開口部
３４    突出片
３５    折り目
３６    端縁
３７    切り取り線
３８    切り取り線
３９ａ  接着部
３９ｂ  接着部
４０ａ  接着部
４０ｂ  接着部
４１    開口部
４２    部分
４３    部分
４４    側部
４５    側縁
４６    側面開閉蓋
４７    厚紙シート
【図１】
2020033105.tif 000003
【図２】
2020033105.tif 000004
【図３】
2020033105.tif 000005
【図４】
2020033105.tif 000006
【図５】
2020033105.tif 000007
【図６】
2020033105.tif 000008
【図７】
2020033105.tif 000009
【図８】
2020033105.tif 000010
【図９】
2020033105.tif 000011
【図１０】
2020033105.tif 000012
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
重ねられた複数の不織布製の衛生ふきんのシートを収納する直方体状のシート収納容器本体と、
上記シート収納容器本体の正面板、又は上面板から正面板に渡って設けた正面開閉蓋と、
上記シート収納容器本体に設けた側面開閉蓋とよりなり、
該側面開閉蓋は、上記シート収納容器本体の一方の側面板に設けたことを特徴とする不織布製の衛生ふきんのシート収納容器。
【請求項２】
重ねられた複数の不織布製の衛生ふきんのシートを収納する直方体状のシート収納容器本体と、
上記シート収納容器本体の正面板、又は上面板から正面板に渡って設けた正面開閉蓋と、
上記シート収納容器本体に設けた側面開閉蓋とよりなり、
該側面開閉蓋は、上記シート収納容器本体の上面板から一方の側面板に渡って設けたことを特徴とする不織布製の衛生ふきんのシート収納容器。
【請求項３】
重ねられた複数の不織布製の衛生ふきんのシートを収納する直方体状のシート収納容器本体と、
上記シート収納容器本体の正面板、又は上面板から正面板に渡って設けた正面開閉蓋と、
上記シート収納容器本体に設けた側面開閉蓋とよりなり、
該側面開閉蓋は、上記シート収納容器本体の底面板から一方又は他方の側面板に渡って設けたことを特徴とする不織布製の衛生ふきんのシート収納容器。
【請求項４】
上記側面開閉蓋は、上記シート収納容器本体に一部が連設され、開閉自在に設けられていることを特徴とする請求項１乃至３のいずれか１に記載の不織布製の衛生ふきんのシート収納容器。
【請求項５】
上記側面開閉蓋は、上記シート収納容器本体に設けた切り取り線を切り取ることにより開閉自在となるように構成され、
上記側面開閉蓋の先端部には、指入れ開口部を形成するための切り取り線が形成され、
該指入れ開口部を形成するための切り取り線を切断するために必要な力は、上記指入れ開口部を除く上記側面開閉蓋を形成するための切り取り線を切断するための力よりも弱いように、上記指入れ開口部を形成するための切り取り線と、上記指入れ開口部を除く上記側面開閉蓋を形成するための切り取り線とが形成されていることを特徴とする請求項１乃至４のいずれか１に記載の不織布製の衛生ふきんのシート収納容器。
【請求項６】
上記シート収納容器本体は、組立装置により組み立てられる一枚のシートよりなり、
該シートは、それぞれ一列に連設された上側正面板と上面板と背面板と底面板と下側正面板と、上記上面板の左右端縁にそれぞれ連設された一方の上側側面板と他方の上側側面板と、上記底面板の左右端縁にそれぞれ連設された一方の下側側面板と他方の下側側面板とよりなり、
上記上側正面板、下側正面板、他方の上側側面板、他方の下側側面板、一方の上側側面板、一方の下側側面板は、上記組立装置により、それぞれ、上記上側正面板の端部と上記下側正面板の端部とが重ね合されて接着され、また、上記一方の上側側面板の端部と上記一方の下側側面板の端部とが重ね合されて接着され、また、上記他方の上側側面板の端部と上記他方の下側側面板の端部とが重ね合されて接着されて組み合わされるように構成され、
上記側面開閉蓋は、上記シート収納容器本体の一方の上側側面板、又は、上面板から該一方の上側側面板に渡って設けた切り取り線を切り取ることにより開閉自在となるように構成されると共に、上記一方の上側側面板の端部と一方の下側側面板の端部とが重ね合される部分よりも、上方の位置に設けられることを特徴とする請求項１または２に記載の不織布製の衛生ふきんのシート収納容器。
【請求項７】
上記シート収納容器本体は、組立装置により組み立てられる一枚のシートよりなり、
該シートは、それぞれ一列に連設された上側正面板と上面板と背面板と底面板と下側正面板と、上記上面板の左右端縁にそれぞれ連設された一方の上側側面板と他方の上側側面板と、上記底面板の左右端縁に連設された一方の下側側面板と他方の下側側面板とよりなり、
上記上側正面板、下側正面板、他方の上側側面板、他方の下側側面板、一方の上側側面板、一方の下側側面板は、上記組立装置により、それぞれ、上記上側正面板の端部と上記下側正面板の端部とが重ね合されて接着され、また、上記一方の上側側面板の端部と上記一方の下側側面板の端部とが重ね合されて接着され、また、上記他方の上側側面板の端部と上記他方の下側側面板の端部とが重ね合されて接着されて組み合わされるように構成され、
上記側面開閉蓋は、上記シート収納容器本体の底面板から上記一方又は他方の下側側面板に渡って設けた切り取り線を切り取ることにより開閉自在となるように構成されると共に、上記一方又は他方の下側側面板の端部と上記一方又は他方の上側側面板の端部とが重ね合される部分よりも、下方の位置に設けられることを特徴とする請求項３に記載の不織布製の衛生ふきんのシート収納容器。
【請求項８】
上記直方体状のシート収納容器本体は、幅が、１５０ｍｍ〜１０００ｍｍであり、奥行きが、５０ｍｍ〜１０００ｍｍであり、高さが、１０ｍｍ〜１０００ｍｍであり、
上記側面開閉蓋は、上記シート収納容器本体に設けた切り取り線を切り取ることにより開閉自在となるように構成され、
上記側面開閉蓋が切り取られた後に残る上記側面板の側部の幅は、１０ｍｍ〜１５ｍｍであることを特徴とする請求項１乃至７のいずれか１に記載の不織布製の衛生ふきんのシート収納容器。
【請求項９】
上記直方体状のシート収納容器本体は、幅が、１５０ｍｍ〜１０００ｍｍであり、奥行きが、５０ｍｍ〜１０００ｍｍであり、高さが、１０ｍｍ〜１０００ｍｍであり、
上記側面開閉蓋は、上記シート収納容器本体に設けた切り取り線を切り取ることにより開閉自在となるように構成され、
上記側面開閉蓋が切り取られた後に残る上記上面板の側部の幅は、１０ｍｍ〜１５ｍｍであることを特徴とする請求項２に記載の不織布製の衛生ふきんのシート収納容器。
【請求項１０】
上記直方体状のシート収納容器本体は、幅が、１５０ｍｍ〜１０００ｍｍであり、奥行きが、５０ｍｍ〜１０００ｍｍであり、高さが、１０ｍｍ〜１０００ｍｍであり、
上記側面開閉蓋は、上記シート収納容器本体に設けた切り取り線を切り取ることにより開閉自在となるように構成され、
上記側面開閉蓋が切り取られた後に残る上記底面板の側部の幅は、１０ｍｍ〜１５ｍｍであることを特徴とする請求項３に記載の不織布製の衛生ふきんのシート収納容器。
【請求項１１】
上記直方体状のシート収納容器本体は、幅が、１５０ｍｍ〜１０００ｍｍであり、奥行きが、５０ｍｍ〜１０００ｍｍであり、高さが、１０ｍｍ〜１０００ｍｍであり、
上記側面開閉蓋は、上記シート収納容器本体に設けた切り取り線を切り取ることにより開閉自在となるように構成され、
上記シート収納容器本体の奥行（Ｄ）に対する、上記側面開閉蓋が切り取られた後に残る側面板の側部の幅（Ａ）の比率（Ａ）／（Ｄ）は、１．６〜９．６％であることを特徴とする請求項１乃至７のいずれか１に記載の不織布製の衛生ふきんのシート収納容器。
【請求項１２】
上記直方体状のシート収納容器本体は、幅が、１５０ｍｍ〜１０００ｍｍであり、奥行きが、５０ｍｍ〜１０００ｍｍであり、高さが、１０ｍｍ〜１０００ｍｍであり、
上記側面開閉蓋は、上記シート収納容器本体に設けた切り取り線を切り取ることにより開閉自在となるように構成され、
上記シート収納容器本体の奥行（Ｄ）に対する、上記側面開閉蓋が切り取られた後に残る上面板の側部の幅（Ａ）の比率（Ａ）／（Ｄ）は、１．６〜９．６％であることを特徴とする請求項２に記載の不織布製の衛生ふきんのシート収納容器。
【請求項１３】
上記直方体状のシート収納容器本体は、幅が、１５０ｍｍ〜１０００ｍｍであり、奥行きが、５０ｍｍ〜１０００ｍｍであり、高さが、１０ｍｍ〜１０００ｍｍであり、
上記側面開閉蓋は、上記シート収納容器本体に設けた切り取り線を切り取ることにより開閉自在となるように構成され、
上記シート収納容器本体の奥行（Ｄ）に対する、上記側面開閉蓋が切り取られた後に残る底面板の側部の幅（Ａ）の比率（Ａ）／（Ｄ）は、１．６〜９．６％であることを特徴とする請求項３に記載の不織布製の衛生ふきんのシート収納容器。
【請求項１４】
上記側面開閉蓋の各側部の切り取り線を、短手方向の線に対して、互いに内側に傾斜させたことを特徴とする請求項１乃至１３のいずれか１に記載の不織布製の衛生ふきんのシート収納容器。